(57)【要約】【課題】通信相手が１つの通信方式の排出装置に限定されず、且つ無駄な通信時間をできるだけ抑えて効率的に通信を行い得る加熱調理器を提供する。【解決手段】加熱調理器１は、外部からの操作に応じた情報を入力するコンロ用操作部２２と、通信方式を指定する設定情報を記憶するフラッシュメモリ７４（記憶部）と、更新処理を行い得る更新部と、無線通信を行い得る無線通信部とを備える。更新部は、フラッシュメモリ７４（記憶部）に記憶された設定情報で指定される通信方式とは異なる通信方式を指示する指示情報がコンロ用操作部２２（操作部）によって入力された場合に、フラッシュメモリ７４（記憶部）に記憶される設定情報を、入力された指示情報で指示される通信方式を指定する情報に更新する。無線通信部は、排出装置１００に対し、フラッシュメモリ７４（記憶部）に記憶される設定情報で指定される通信方式で無線信号を送信する。【選択図】図３
2018035991.tif 000002
【特許請求の範囲】
【請求項１】
加熱動作を行う加熱部と、
外部からの操作に応じた情報を入力する操作部と、
通信方式を指定する設定情報を記憶する記憶部と、
前記記憶部に記憶された前記設定情報で指定される通信方式とは異なる通信方式を指示する指示情報が前記操作部によって入力された場合に、前記記憶部に記憶される前記設定情報を、入力された前記指示情報で指示される通信方式を指定する情報に更新する更新部と、
前記加熱部の加熱動作によって生じる排気ガスを排出する排出装置に対し、前記記憶部に記憶される前記設定情報で指定される通信方式で無線信号を送信する無線通信部と、
を有する加熱調理器。
【請求項２】
電力供給を行う電源部を備え、
前記記憶部は、前記電源部から電力供給がなされていない状態でも前記設定情報が保持される不揮発性メモリを含み、
前記無線通信部は、前記電源部からの電力供給が途絶えた後、前記電源部からの電力供給が復帰した場合、前記不揮発性メモリに記憶される前記設定情報で指定される通信方式で無線信号を送信する請求項１に記載の加熱調理器。
【発明の詳細な説明】
【技術分野】
【０００１】
本発明は、加熱調理器に関するものである。
【背景技術】
【０００２】
従来から提供されている加熱調理器の例として特許文献１のようなものが存在する。特許文献１で開示される加熱器具は、加熱手段の加熱動作に伴って発生する排気ガスを外部に排出する排気手段と連係して使用され、排気手段に対する作動指令を無線信号にて指令する無線式指令手段を備えている。
【先行技術文献】
【特許文献】
【０００３】
【特許文献１】特開２００６−２５８３２４号公報
【発明の概要】
【発明が解決しようとする課題】
【０００４】
ところで、加熱調理器から無線信号を送信し、離れた位置に配置された排気手段に作動指令を与える場合、加熱調理器で適用される無線通信方式と、排気手段に適用される無線通信方式とが異なると両装置間で通信が適正に行われないことになる。このため、加熱調理器を設置する場合、この加熱調理器の通信方式に適合した排気手段を組み合わせて適用しなければならず、排気手段の選定が制限されていた。
【０００５】
これに対し、特許文献１で開示される加熱器具は、複数種の通信形態が適用可能とされており、無線式指令手段が作動指令を発信する場合には、複数種の通信形態にて順次指令するように構成されている。このような構成によれば、排気手段の通信方式が１つの方式に限定されず、加熱調理器に組み合わせることが可能な排気手段の候補を増やすことができる。
【０００６】
しかし、特許文献１の加熱器具のような方法では、無線通信を行う度に複数種類の方式で通信を行わなければならず、通信時間の遅延や消費電力の増大を招きやすいという問題がある。
【０００７】
本発明は、上述した課題を解決するためになされたものであり、通信相手が１つの通信方式の排出装置に限定されず、且つ無駄な通信時間をできるだけ抑えて効率的に通信を行い得る加熱調理器を提供することを目的とするものである。
【課題を解決するための手段】
【０００８】
本発明の加熱調理器は、
加熱動作を行う加熱部と、
外部からの操作に応じた情報を入力する操作部と、
通信方式を指定する設定情報を記憶する記憶部と、
前記記憶部に記憶された前記設定情報で指定される通信方式とは異なる通信方式を指示する指示情報が前記操作部によって入力された場合に、前記記憶部に記憶される前記設定情報を、入力された前記指示情報で指示される通信方式を指定する情報に更新する更新部と、
前記加熱部の加熱動作によって生じる排気ガスを排出する排出装置に対し、前記記憶部に記憶される前記設定情報で指定される通信方式で無線信号を送信する無線通信部と、
を有する。
【発明の効果】
【０００９】
上記加熱調理器は更新部を備えており、更新部は、記憶部に記憶された設定情報で指定される通信方式とは異なる通信方式を指示する指示情報が操作部によって入力された場合に、記憶部に記憶される設定情報を、入力された指示情報で指示される通信方式を指定する情報に更新する機能を有する。つまり、設定中の設定情報が通信対象となる排出装置の通信方式と異なる通信方式を指定している場合、排出装置の通信方式に合った通信方式を操作部の入力によって指示することで設定内容を更新することができる。このような自由度の高い更新、及び排出装置の通信方式に合った設定情報の保持を可能とすることで、その後に無線通信部が無線信号を送信する場合には、排出装置の通信方式に合った通信方式で迅速かつ効率的に通信を行うことができる。
【図面の簡単な説明】
【００１０】
【図１】図１は、実施例１の加熱調理器を例示する斜視図である。
【図２】図２は、実施例１の加熱調理器と排出装置とが組み合わされた調理器システムを概略的に例示する説明図である。
【図３】図３は、図１の加熱調理器の電気的構成を、排出装置の電気的構成と共に例示するブロック図である。
【図４】図４は、図１の加熱調理器に設けられた設定パネルの構成を例示する説明図である。
【図５】図５は、赤外線信号の信号構成を概念的に説明する説明図である。
【図６】図６は、図１の加熱調理器で実行される登録更新処理の流れを例示するフローチャートである。
【図７】図７は、開始操作の例を説明する説明図である。
【図８】図８（Ａ）は、設定項目を換気扇連動機能に設定する場合の操作を説明する説明図であり、図８（Ｂ）は、換気扇連動機能の設定内容の変更操作を説明する説明図である。
【図９】図９（Ａ）は、設定項目を通信方式に設定する場合の操作を説明する説明図であり、図９（Ｂ）は、通信方式の設定内容の変更操作を説明する説明図である。
【図１０】図１０は、各設定方式とコマンド（指令）との対応関係を概念的に説明する説明図である。
【発明を実施するための形態】
【００１１】
本発明の好ましい形態を以下に例示する。
本発明は、電力供給を行う電源部を備えていてもよい。記憶部は、電源部から電力供給がなされていない状態でも設定情報が保持される不揮発性メモリを含んでいてもよい。無線通信部は、電源部からの電力供給が途絶えた後、電源部からの電力供給が復帰した場合、不揮発性メモリに記憶される設定情報で指定される通信方式で無線信号を送信する機能を有していてもよい。
【００１２】
このように、通信方式を指示する設定情報を不揮発性メモリに保持しておく構成とすることで、電源部からの電力供給が途絶えても設定情報を保持しておくことが可能となる。つまり、電力供給が途絶えた場合でも設定された通信方式が消去されないため、電力供給が途絶える度に所望の通信方式を設定し直すような手間を省くことができる。
【００１３】
＜実施例１＞
以下、実施例１について、図面を参照して説明する。
図１で示す加熱調理器１は、加熱部としてのガスバーナを備えたガスコンロとして構成される。なお、図１２において、左斜め下方、右斜め上方、右斜め下方、左斜め上方を、夫々、加熱調理器１の前方、後方、右方、左方とする。具体的には、板状に構成されたトッププレート３の板面方向のうち、短手方向が前後方向であり、長手方向が左右方向である。トッププレート３の板厚方向が上下方向である。
【００１４】
図１で示す加熱調理器１は、図２で示すようにキッチンＫのカウンタトップに設けられた開口に落とし込まれて設置されるビルトインコンロである。加熱調理器１は略直方体状の器具本体２を備える。器具本体２の上部には、トッププレート３（天板）が取り付けられている。トッププレート３において右手前（右端寄りかつ前端寄りの位置）には右バーナ４、左手前（左端寄りかつ前端寄りの位置）には左バーナ５、中央奥側には奥バーナ６が夫々設けられている。なお、詳述しないが、各種バーナ４〜６の夫々には、点火する為のイグナイタ２７（図３参照）が設けられている。トッププレート３において後端寄りの位置には、器具本体２内に設置されるグリル庫（図示略）と連通するグリル排気口７が設けられている。
【００１５】
器具本体２の前面中央には、グリル扉８が設けられている。グリル扉８は、グリル庫内に設けられたレールユニット（図示略）によって前後方向にスライド可能である。グリル扉８の前面上部には取手部９が設けられている。使用者は、取手部９に下側から指を掛けてグリル扉８を手前側に引き出すと、レールユニットによる伸長動作により、図示しない焼き網と受皿をグリル庫から外部に同時に取り出すことができる。
【００１６】
器具本体２の前面の右上角部には、加熱調理器１の電源をオンオフする為に押下される電源スイッチ１０が設けられている。その電源スイッチ１０の下側には、右側から左側に向かって順に、正面視円形状の点火ボタン１１〜１３が横一列に夫々設けられている。グリル扉８の左側にも、点火ボタン１１〜１３と同一高さ位置に、正面視円形状の点火ボタン１４が設けられている。
【００１７】
点火ボタン１１は右バーナ４、点火ボタン１２は左バーナ５、点火ボタン１３は奥バーナ６、点火ボタン１４はグリル庫内のグリルバーナ（図示略）を点火／消火する為に夫々押下される。点火ボタン１１〜１４は、点火の為に押下されると、周知のプッシュオン・プッシュオフ機構（図示略）によって、器具本体２前面から前方に円柱状に突出し、この突出した状態で回動操作が可能となる。使用者は、点火ボタン１１〜１４を夫々回動させることによって、各種バーナ４〜６又はグリルバーナの火力調節ができる。点火ボタン１２の下方には、電池交換ランプ３３が設けられている。なお、右バーナ４、左バーナ５、奥バーナ６、グリルバーナ（図示略）のそれぞれは、加熱部の一例に相当する。
【００１８】
電池交換ランプ３３の下方にはパネル１６が設けられ、点火ボタン１４の下方にはパネル１７が設けられている。パネル１６を指で押し込むと、周知のプッシュオン・プッシュオフ機構（図示略）によって、パネル１６の背面に固定されたコンロ用操作部２２が下部を基点に前方に回動して引き出される（図１の二点鎖線の図を参照）。パネル１７を指で押し込むと、上記同機構によって、パネル１７の背面に固定された板状のグリル用操作部（図３参照）が下部を基点に前方に回動して引き出される。これらパネル１６，１７を器具本体２側に再度押し込むことによって、コンロ用操作部２２及びグリル用操作部２３が、器具本体２の内側に収納され、パネル１６，１７が器具本体２の前面に対して面一となる。
【００１９】
図３では、コンロ用操作部２２及びグリル用操作部２３を共通のブロックで示しており、操作部回路８３を共通のブロックで示しているが、コンロ用操作部２２及びグリル用操作部２３は各位置に夫々個別に設けられ、コンロ用操作部２２及びグリル用操作部２３の各々に対応する操作部回路８３が個別に設けられている。図４のように、コンロ用操作部２２は、操作部の一例に相当し、複数の操作スイッチ２２Ａ〜２２Ｋを備えている。操作スイッチ２２Ａ〜２２Ｅは、左バーナ５を備えて構成される左コンロ用のスイッチであり、夫々が押しボタンとして構成されている。また、操作部２２には、操作スイッチ２２Ａ〜２２Ｅに対応する表示部として７セグメント方式の表示が可能な表示部２２Ｙが設けられている。操作スイッチ２２Ｆは、奥バーナ６を備えて構成される後コンロ用のスイッチであり、押釦として構成されている。操作スイッチ２２Ｇ〜２２Ｋは、右バーナ４を備えて構成される右コンロ用のスイッチであり、夫々が押しボタンとして構成されている。操作部２２には、操作スイッチ２２Ｇ〜２２Ｋに対応する表示部として７セグメント方式の表示が可能な表示部２２Ｚが設けられている。なお、グリル用操作部２３の具体的な構成の図示は省略しているが、図４で示す構成に類似した構成とすることができる。
【００２０】
本実施例において、加熱調理器１は、電源スイッチ１０の操作によって、電源オフ状態及び電源オン状態に切り替わる構成をなす。電源オフ状態とは、電源がオフした状態であり、点火ボタン１１〜１３、コンロ用操作部２２、グリル用操作部２３等の各種操作を受け付けない状態をいう。電源オン状態とは、電源がオンした状態であるとともに、加熱調理器１の各種回路に電流を流すことが可能な状態であり、点火ボタン１１〜１３、コンロ用操作部２２、グリル用操作部２３等の各種操作を受け付けて動作する状態をいう。
【００２１】
図３を参照し、加熱調理器１の電気的構成について説明する。加熱調理器１は制御回路７０を備える。制御回路７０は、ＣＰＵ７１、ＲＯＭ７２、ＲＡＭ７３、フラッシュメモリ７４、タイマ７５等を備える。ＣＰＵ７１は加熱調理器１の各種動作を統括制御する。ＲＯＭ７２は加熱調理器１の各種制御プログラムなどを記憶する。ＲＡＭ７３は、加熱調理器１の各種情報などを記憶する。
【００２２】
不揮発性メモリであるフラッシュメモリ７４は、記憶部の一例に相当し、加熱調理器１の各種情報に加え、通信方式を指定するための後述する「設定情報」を記憶する。このフラッシュメモリ７４は、上述した電源オフ状態となり、電源回路８１（電源部）から制御回路７０に電力供給がなされていない状態でも後述する「設定情報」を記憶した状態で維持し得る。
【００２３】
制御回路７０には、電源回路８１、スイッチ入力回路８２、操作部回路８３、点火ボタン操作回路８４、イグナイタ回路８５、電磁弁回路８６、駆動回路９１等が各々接続されている。
【００２４】
電源回路８１は、公知の電源回路として構成されており、電力供給を行う電源部の一例に相当する。この電源回路８１は、電池ボックス（図示略）に搭載される２つの乾電池１５からの電力供給に基づいて各種回路に印加する電源電圧を生成する機能を有する。また、電源回路８１に付随する回路として、乾電池電圧を検出する検出回路も設けられ、この回路は乾電池電圧を監視する機能を有する。スイッチ入力回路８２は電源スイッチ１０の押下を検出する。
【００２５】
操作部回路８３は、コンロ用操作部２２及びグリル用操作部（図示略）の各種操作を検出し、制御回路７０に入力する。点火ボタン操作回路８４は点火ボタン１１〜１４の押下、及び回動操作を検出し、制御回路７０に入力する。イグナイタ回路８５は、制御回路７０からの指令を受け、各種バーナ４〜６及びグリルバーナの夫々に設けられたイグナイタ２７を駆動する。電磁弁回路８６は、制御回路７０からの指令を受け、各種バーナ４〜６及びグリルバーナの夫々のガス供給管（図示略）に設けられた安全弁及び火力調整弁等の各種電磁弁２８を制御する。図３では、複数のイグナイタをイグナイタ２７とまとめて称し、複数の電磁弁を電磁弁２８とまとめて称している。
【００２６】
通信部９２は、赤外光を発生可能な赤外線ＬＥＤなどの公知の発光素子によって構成され、発光素子のオンオフ動作によって赤外線信号を送信し得る構成となる。駆動回路９１は、制御回路７０からの指令に基づいて通信部９２を駆動する回路である。発光素子は、例えば、図１、図２で示す発信部４１，４２などに設けることができる。赤外線通信は、図２のように発信部４１，４２に組み込まれた発光素子から発せられる赤外光をユーザＰに当て、ユーザＰから反射する光を排出装置（排気装置）１００の受信部１０２（赤外光受信部）が受信する方式であってもよく、発光素子から発せられる赤外光が床などに当たり、床などから反射する光を排出装置１００の受信部１０２が受信する方式であってもよい。
【００２７】
なお、通信相手となる排出装置１００は、換気扇を有する公知のレンジフードとして構成され、図３のように、赤外線信号を受信する受信部１０２と、受信部１０２で受信した赤外線信号を解析する制御装置１０４と、制御装置１０４によって駆動される駆動負荷１０６（換気扇）とを備え、制御装置１０４の制御によって駆動負荷１０６が駆動される構成となっている。
【００２８】
加熱調理器１には、図３で示す回路以外にも、音声合成回路やスピーカなどからなる音声装置、発光制御回路や発光部などからなる発光装置、ブザー回路などを設けることができ、図３ではこれらの回路の図示を省略している。
【００２９】
次に、加熱調理器１で行われる赤外線通信について図５を参照して説明する。
通信部９２から送信される赤外線信号Ｓは、赤外線通信規格に準拠した信号とすることができる。例えば、特定のデューティー比（例えば、１／３）であり且つ周波数が特定周波数（例えば、３７．９１７[kHz]）のパルス信号をキャリアとして使用し、図５に示すように、キャリアの有る時間（キャリア有時間）Ｔｏｎとキャリアの無い時間（キャリア無時間）Ｔｏｆｆの組合せで構成されている。赤外線信号Ｓは、ヘッダー部Ｓｈとデータ部Ｓｄからなり、送信信号Ｓの長さ（ワード長）は、ｔ１のヘッダー長も含めてｔ２以下としている。ヘッダー部はｔ１１のキャリア有時間Ｔｏｎとその後に続くｔ１２のキャリア無時間Ｔｏｆｆで構成される。データ部Ｓｄは符号化構成が異なる２種の符号「０」及び「１」で構成されている。符号「０」は、ｔ２１のキャリア有時間とその後に同時間続くｔ２２のキャリア無時間とで構成される時間ｔ２３の信号で符号化される。符号「１」は、ｔ２１のキャリア有時間とこれに続くｔ２４のキャリア無時間とで構成される時間ｔ２５の信号で符号化される。
【００３０】
一方、データ部Ｓｄの符号列を構成するコマンドコードＤは、レンジフードとして構成される排出装置１００の種類に対応すべきコードである必要がある。例えば、加熱調理器１と組み合わせて使用可能な排出装置として２種類の排出装置が存在し、一方の種類の排出装置は第１の通信方式で赤外線通信を行う装置であり、他方の排出装置は第２の通信方式で赤外線通信を行う装置である場合、加熱調理器１の通信相手となる排出装置１００が第１の通信方式で赤外線通信を行う装置であれば、第１の通信方式のコード体系に従って排出装置１００にコマンドを与える必要がある。加熱調理器１の通信相手となる排出装置１００が第２の通信方式で赤外線通信を行う装置であれば、第２の通信方式のコード体系に従って排出装置１００にコマンドを与える必要がある。本構成の加熱調理器１では、通信相手となる排出装置１００がいずれの通信方式に対応するものであるかを特定する情報（設定情報）を予めフラッシュメモリ７４に記憶しておくことができるようになっている。
【００３１】
次に、登録情報の更新処理について説明する。
加熱調理器１では、例えば、図６のような流れで登録情報の更新処理を実行する。図６の更新処理は、図１等で示す加熱調理器１が電源オン状態のとき（即ち、図３で示す制御回路７０に電源電圧が供給される状態のとき）にＣＰＵ７１によって実行することができる。図６の更新処理は加熱調理器１が電源オン状態のときに繰り返し実行される処理であり、例えば、図６においてエンドとなった後、短い時間間隔で再び図６の更新処理が実行されるようになっている。
【００３２】
図６の更新処理では、ステップＳ１で開始操作がなされたか否かを判断し、開始操作がなされていない場合にはＮｏに進んで図６の更新処理を終了し、終了後、再び図６の処理を開始する。つまり、電源オン状態のとき、開始操作がなされるまでステップＳ１の判断処理が繰り返され、開始操作がなされることで、ステップＳ２以降の処理が実行されるようになっている。加熱調理器１では、図７のように、操作スイッチ２２Ｇ（メニューボタン）と操作スイッチ２２Ｊ（＋ボタン）とを同時期に所定時間を超えて長押しすることが開始操作とされている。このような開始操作がなされた場合、ステップＳ１にてＹｅｓとなり、ステップＳ２の切替モードとなる。なお、図７で示す例は開始操作の一例であり、開始操作は図７の操作とは別の操作（例えば、操作スイッチ２２Ａと操作スイッチ２２Ｄとを同時期に長押しする操作など）であってもよい。ステップＳ１にてＹｅｓとなりステップＳ２に進む場合には通常モードから切替モードにモード変更し、ステップＳ４にてＮｏに進んでステップＳ２に進む場合には切替モードのまま維持することになる。なお、切替モードとは、加熱調理器１に登録された登録情報を変更する入力操作及び確定操作が可能なモードであり、通常モードは、このような入力操作及び確定操作を受け付けないモードである。
【００３３】
図６で示すステップＳ２において切替モードとされた場合、図４で示すコンロ用操作部２２の左コンロ用の操作スイッチ２２Ｃ、２２Ｄに対する操作によって設定項目番号の指定が可能となり、右コンロ用の操作スイッチ２２Ｉ，２２Ｊに対する操作によって設定内容の指定が可能となる。表示部２２Ｙに表示される数値は、設定項目の番号を示すものであり、ステップＳ１にてＹｅｓとなった直後は、図７のようにデフォルトの番号（例えば「１」）が表示される。加熱調理器１では、各番号にそれぞれ設定項目が割り当てられている。例えば、番号「１」の設定項目は、消し忘れ消化機能の時間の設定項目であり、番号「３」は、排出装置（レンジフード）連動機能の設定項目であり、番号「９」は、赤外線通信の方式を設定する設定項目である。また、番号２、４〜８などの各番号にも、様々な設定項目が割り当てられている。
【００３４】
図６で示すステップＳ２にて切替モードに設定された場合、切替モードが解除されるまで（即ち、ステップＳ３においてＹｅｓとなるか、ステップＳ４にてＹｅｓとなるまで）は、表示部２２Ｙに表示される設定項目の番号を変更する操作、及び表示部２２Ｚに表示される設定内容を変更する操作が可能となる。例えば、操作スイッチ２２Ｃを１回押圧操作する毎に、表示部２２Ｙに表示される数値（番号）を１つ減少させることができ、操作スイッチ２２Ｄを１回押圧操作する毎に、表示部２２Ｙに表示される数値を１つ増加させることができるようになっている。なお、表示部２２Ｙに表示される数値が、表示可能な設定項目の番号のうち最も大きい番号であるときに操作スイッチ２２Ｄが押圧された場合、表示可能な設定項目の番号のうち最も小さい番号に切り替えられる。また、表示部２２Ｙに表示される数値が、表示可能な設定項目の番号のうち最も小さい番号であるときに操作スイッチ２２Ｃが押圧された場合、表示可能な設定項目の番号のうち最も大きい番号に切り替えられる。
【００３５】
表示部２２Ｚに表示される数値又は文字は、表示部２２Ｙに表示中の設定項目の設定内容を示すものであり、ステップＳ１にてＹｅｓとなった直後、又は操作スイッチ２２Ｃ、２２Ｄに対する操作によって表示部２２Ｙの番号（数値）表示が切り替えられた直後のいずれの場合でも、表示部２２Ｙに表示された設定項目の現在設定中の内容を表示する。例えば、ステップＳ１にてＹｅｓとなった直後には、表示部２２Ｙにデフォルトの番号「１」が表示され、その表示と同時に番号「１」の設定項目における現在設定中の内容が表示部２２Ｚに表示される。図７の例では、ステップＳ１にてＹｅｓとなった直後における番号「１」の設定項目（消し忘れ消化機能の時間）の内容として「１２０」が表示され、番号「１」の設定項目である「消し忘れ消化機能の時間」が１２０分であることを示している。
【００３６】
このように、表示部２２Ｙに表示された設定項目の設定内容が表示部２２Ｚに表示されているとき、操作スイッチ２２Ｉ，２２Ｊに対する操作によって表示部２２Ｚの表示内容を切り替えることができる。例えば、図７のように番号「１」の設定項目の内容（消し忘れ消化機能の時間）が表示されているとき、操作スイッチ２２Ｊが押される毎に表示部２２Ｚに対する数値が所定数（例えば、１０分）ずつ増加し、操作スイッチ２２Ｉが押される毎に表示部２２Ｚに対する数値が所定数（例えば、１０分）ずつ減少する。このように、切替モードのときに操作スイッチ２２Ｉ，２２Ｊが押された場合、表示部２２Ｙに表示されている設定項目の変更内容を表示部２２Ｚに切り替え表示させることができる。
【００３７】
また、切替モードのとき、図８（Ａ）のように操作スイッチ２２Ｃ、２２Ｄに対する操作によって表示部２２Ｙの番号（数値）表示が「３」に切り替えられた直後には、番号「３」に対応する排出装置（レンジフード）連動機能の現在設定中の内容（図８の例では、「ｏｆｆ」）が表示され、図８の例では、排出装置（レンジフード）連動機能の現在の設定がオフ状態であることを示している。このように表示部２２Ｚに番号「３」の設定項目の内容（排出装置（レンジフード）連動機能）が表示されているとき、操作スイッチ２２Ｊ又は操作スイッチ２２Ｉが押される毎に表示部２２Ｚに表示中の内容とは逆の内容に切り替わる。つまり、番号「３」に対応する表示として表示部２２Ｚに「ｏｆｆ」が表示されているときに操作スイッチ２２Ｊ又は操作スイッチ２２Ｉが押された場合には、表示部２２Ｚの表示は「ｏｎ」に切り替わり、番号「３」に対応する表示として表示部２２Ｚに「ｏｎ」が表示されているときに操作スイッチ２２Ｊ又は操作スイッチ２２Ｉが押された場合には、表示部２２Ｚの表示は「ｏｆｆ」に切り替わる。なお、「ｏｎ」又は「ｏｆｆ」のいずれかの状態で表示部２２Ｚに表示されているときに後述する確定操作（例えばスイッチ２２Ｇを押す操作）が行われると、排出装置１００との連動機能は、その確定操作がなされたときの表示部２２Ｚの内容で確定登録される。このように、排出装置１００との連動機能をオン状態とオフ状態とに切り替えることができ、オン状態のときには、赤外線通信によって排出装置１００との連動を行い、オフ状態のときには、赤外線通信による連動を行わないようにする。
【００３８】
また、切替モードのとき、図９（Ａ）のように操作スイッチ２２Ｃ、２２Ｄに対する操作によって表示部２２Ｙの番号（数値）表示が「９」に切り替えられた直後には、番号「９」に対応する設定項目（赤外線通信の方式）の現在設定中の内容（図９の例では、「１」）が表示部２２Ｚに表示される。図９の例では、赤外線通信方式の現在の設定が「１」であることを示している。このように表示部２２Ｚに番号「９」の設定項目の内容（赤外線通信の方式）が表示されているとき、操作スイッチ２２Ｊ又は操作スイッチ２２Ｉが押される毎に表示部２２Ｚの表示内容が表示中の内容とは異なる内容に切り替わる。例えば、表示部２２Ｚに番号「９」に対応する表示として「１」が表示されているときに操作スイッチ２２Ｊ又は操作スイッチ２２Ｉが押された場合には、表示部２２Ｚの表示は「２」に切り替わり、表示部２２Ｚに番号「９」に対応する表示として「２」が表示されているときに操作スイッチ２２Ｊ又は操作スイッチ２２Ｉが押された場合には、表示部２２Ｚの表示は「１」に切り替わる。そして、表示部２２Ｙに番号「９」が表示され、「１」又は「２」のいずれかが表示部２２Ｚに表示されているときに後述する確定操作（例えばスイッチ２２Ｇを押す操作）が行われると、赤外線通信の方式は、その確定操作がなされたときの表示部２２Ｚの内容で確定登録される。
【００３９】
上述した代表例は、候補となる通信方式が２つである場合であるが、候補となる通信方式を３以上とする場合、操作スイッチ２２Ｊを押す毎に各方式に割り当てられた番号を順番に増大させて表示し、操作スイッチ２２Ｉを押す毎に各方式に割り当てられた番号を順番に減少させて表示すればよい。
【００４０】
このように、図６で示すステップＳ２の切替モードにされた場合、設定項目や設定内容を切り替えて表示することが可能となる。そして、ステップＳ３では、タイムアウト条件が成立したか否かを判断する。ステップＳ３では、ステップＳ１にてＹｅｓに進んでから操作されていない時間（不操作時間）が一定時間に達したという条件又は切替モードとなった後に最後に操作されてから操作されていない時間（不操作時間）が一定時間に達したという条件を満たすか否かを判断し、満たす場合にはステップＳ３にてＹｅｓに進み、図６の処理を終了する。ステップＳ３にてＹｅｓに進む場合には、切替モードから通常モードに切り替え、表示部２２Ｙ及び表示部２２Ｚの表示を中止する。
【００４１】
ステップＳ３において、タイムアウト条件（ステップＳ１にてＹｅｓに進んでから操作されていない時間（不操作時間）が一定時間に達したという条件又は切替モードとなった後に最後に操作されてから操作されていない時間（不操作時間）が一定時間に達したという条件）を満たさないと判断した場合、ステップＳ３にてＮｏに進み、確定操作があったか否かを判断する。確定操作は、操作スイッチ２２Ａ，２２Ｇのいずれかを押圧する操作である。つまり、ステップＳ１でＹｅｓに進んで切替モードとなった後、タイムアウト条件が成立しておらず且つ確定操作がなされていない間はステップＳ３でＮｏ及びステップＳ４でＮｏとなる判断が繰り返され、切替モードが維持される。そして、タイムアウト条件が成立していない状態で、操作スイッチ２２Ａ，２２Ｇのいずれかが押圧された場合、ステップＳ４でＹｅｓに進み、操作スイッチ２２Ａ，２２Ｇのいずれかの押圧操作（確定操作）がなされた時点での表示部２２Ｙ、２２Ｚの表示内容を登録する（ステップＳ５）。
【００４２】
本構成では、夫々の設定項目と対応付けた設定内容がフラッシュメモリ７４に記憶される形で各設定項目と対応する設定内容とが登録されており、ステップＳ４でＹｅｓに進む場合、ステップＳ５では、ステップＳ４でＹｅｓに進む時点で表示部２２Ｙに表示される番号の設定項目の内容を、ステップＳ４でＹｅｓに進む時点で表示部２２Ｚに表示される内容とするようにその設定項目と設定内容とを対応付けて登録する。このような構成であるため、ステップＳ４でＹｅｓに進む時点で、表示部２２Ｙに「９」が表示され、表示部２２Ｚに「１」が表示されている場合、赤外線通信の方式が第１の方式であることを特定する情報がフラッシュメモリ７４に記憶される。また、表示部２２Ｙに「９」が表示され、表示部２２Ｚに「２」が表示されている場合、赤外線通信の方式が第２の方式であることを特定する情報がフラッシュメモリ７４に記憶される。
【００４３】
本構成では、不揮発性メモリとして構成されるフラッシュメモリ７４が記憶部の一例に相当し、電源回路８１（電源部）から電力供給がなされていない状態でも設定情報が保持される構成をなす。
【００４４】
本構成では、ＣＰＵ７１及びフラッシュメモリ７４が更新部の一例に相当し、フラッシュメモリ７４（記憶部）に記憶された設定情報で指定される通信方式とは異なる通信方式を指示する指示情報がコンロ用操作部２２（操作部）によって入力された場合に、フラッシュメモリ７４に記憶される設定情報を、入力された指示情報で指示される通信方式を指定する情報に更新する。
【００４５】
次に、赤外線通信によって排出装置１００を連動させる動作について説明する。
本構成では、上述した番号「３」の設定項目（排出装置連動機能）がオン状態として登録されているとき（即ち、フラッシュメモリ７４に、排出装置（レンジフード）連動機能がオン状態である旨が記憶されているとき）、予め定められた複数の通信タイミングのそれぞれで赤外線通信を行う。具体的には、各通信タイミングに対応するコマンドが用意されており、例えば、第１の通信タイミングに対応するコマンドとしてコマンド１（第１指令）が用意され、第２の通信タイミングに対応するコマンドとしてコマンド２（第２指令）が用意され、第３の通信タイミングに対応するコマンドとしてコマンド３（第３指令）が用意されている。制御回路７０は、排出装置（レンジフード）連動機能がオン状態であるときにいずれかの通信タイミングが到来した場合、その通信タイミングに対応するコマンドを赤外線通信によって送信する。
【００４６】
加熱調理器１から排出装置１００に与えるコマンドとしては、換気扇の動作を開始させるコマンド、換気扇の動作を停止させるコマンド、照明光を照射させるコマンド、照明光の照射を停止させるコマンド、風量を増加させるコマンド、風量を減少させるコマンドなど、様々なコマンドが挙げられる。排出装置１００は、加熱調理器１から送信されたコマンドを赤外線信号として受信した場合、受信したコマンドで指示される動作を行う。例えば、換気扇の動作を開始させるコマンドを含んだ赤外線信号を受信した場合、排出装置１００に含まれる図示しない換気扇の動作を開始させる。
【００４７】
例えば、加熱調理器１に設けられた複数のガスバーナのいずれかが点火されたときが「第１の通信タイミング」となっており、制御回路７０は、第１の通信タイミングの到来に応じて、排出装置１００に対しコマンド１（第１の指令）の赤外線信号を送信する。コマンド１（第１の指令）は、例えば、排出装置１００に設けられた換気扇（図示略）の動作を開始させる指令である。なお、ここで示す「第１の通信タイミング」はあくまで一例であり、別の条件が成立したタイミングであってもよい。また、加熱調理器１において複数のガスバーナのいずれかが点火している状態から全てのガスバーナが消火状態した状態に切り替わってから一定時間経過したタイミングが「第２の通信タイミング」となっており、制御回路７０は、第２の通信タイミングの到来に応じて、排出装置１００に対しコマンド２（第２の指令）の赤外線信号を送信する。コマンド２（第１の指令）は、例えば、換気扇の動作を停止させる指令である。なお、ここで示す「第２の通信タイミング」はあくまで一例であり、別の条件が成立したタイミングであってもよい。
【００４８】
但し、図１０のように、各コマンドの具体的情報は赤外線通信の方式毎に異なっており、例えば、設定情報１に対応する方式１ではコマンド１（第１の指令）を指令コードＣ１１によって送信し、設定情報２に対応する方式２ではコマンド１（第１の指令）を指令コードＣ１２によって送信する。具体的には、フラッシュメモリ７４に記憶される赤外線通信方式が第１の方式である場合（番号「９」の設定項目に対応付けて「１」の設定情報（設定情報１）が記憶されている場合）、設定情報１のコード体系（図１０で示す指令コードＣ１１、Ｃ１２、Ｃ１３、Ｃ１４、Ｃ１５・・・）で赤外線信号を送信する。例えば、上述した第１の通信タイミングが到来したときにはコマンド１（第１の指令）を第１の方式に対応する指令コードＣ１１で送信する。具体的には、選択された指令コードＣ１１が図５で示すデータ部Ｓｄの符号例に組み込まれ、さらにヘッダー部Ｓｈを付した上で、赤外線信号Ｓが送信される。具体的には、ヘッダー部Ｓｈを示すキャリアの有無の時間構成情報と、指令コードＣ１１により決定するデータ部Ｓｄの符号列を示すキャリアの有無の時間構成情報とに基づき、通信部９２に設けられた発光素子の点滅作動により送信されるキャリアの送信時間を制御することで、コマンド１（第１の指令）を示す指令コードＣ１１を含んだ赤外線信号Ｓを送信する。この場合、排出装置１００が方式１のコードを解読可能な装置であれば、この赤外線信号Ｓを受信したときにコマンド１を把握することができ、コマンド１に対応する動作（例えば、換気扇の動作開始）を行うことができる
【００４９】
一方、フラッシュメモリ７４に記憶される赤外線通信方式が第２の方式である場合（番号「９」の設定項目に対応付けて「２」の設定情報（設定情報２）が記憶されている場合）、設定情報２のコード体系（図１０で示す指令コードＣ２１、Ｃ２２、Ｃ２３、Ｃ２４、Ｃ２５・・・）で赤外線信号を送信する。例えば、上述した第１の通信タイミングが到来したときにはコマンド１（第１の指令）を第２の方式に対応する指令コードＣ２１で送信する。具体的には、選択された指令コードＣ２１が図５で示すデータ部Ｓｄの符号例に組み込まれ、さらにヘッダー部Ｓｈを付した上で、赤外線信号Ｓが送信される。この場合、排出装置１００が方式２のコードを解読可能な装置であれば、この赤外線信号Ｓを受信したときにコマンド１を把握することができ、コマンド１に対応する動作（例えば、換気扇の動作開始）を行うことができる。
【００５０】
本構成では、ＣＰＵ７１、駆動回路９１、通信部９２が無線通信部の一例に相当し、加熱部の加熱動作によって生じる排気ガスを排出する排出装置１００に対し、フラッシュメモリ７４（記憶部）に記憶される設定情報で指定される通信方式で無線信号を送信する機能を有する。この無線通信部は、例えば電源オフ操作などによって電源回路８１（電源部）からの電力供給が途絶えた後、電源オン操作などによって電源回路８１（電源部）からの電力供給が復帰した場合、フラッシュメモリ７４（不揮発性メモリ）に記憶される設定情報で指定される通信方式で無線信号を送信する機能を有する。
【００５１】
以下、本構成の効果を例示する。
本構成の加熱調理器１は、更新部として機能するＣＰＵ７１及びフラッシュメモリ７４を備え、この更新部は、フラッシュメモリ７４（記憶部）に記憶された設定情報で指定される通信方式とは異なる通信方式を指示する指示情報がコンロ用操作部２２によって入力された場合に、フラッシュメモリ７４に記憶される設定情報を、入力された指示情報で指示される通信方式を指定する情報に更新する機能を有する。つまり、設定中の設定情報が通信対象となる排出装置１００の通信方式と異なる通信方式を指定している場合、排出装置１００の通信方式に合った通信方式をコンロ用操作部２２の入力によって指示することで設定内容を更新することができる。このような自由度の高い更新、及び排出装置１００の通信方式に合った設定情報の保持を可能とすることで、その後に無線通信部が無線信号を送信する場合には、排出装置１００の通信方式に合った通信方式で迅速かつ効率的に通信を行うことができる。
【００５２】
加熱調理器１は、電力供給を行う電源回路８１（電源部）を備えており、フラッシュメモリ７４は、電源回路８１（電源部）から電力供給がなされていない状態でも設定情報が保持される不揮発性メモリとして機能する。無線通信部として機能するＣＰＵ７１、駆動回路９１、通信部９２は、例えば電源オフ操作によって電源回路８１（電源部）からの電力供給が途絶えた後、電源オン操作によって電源回路８１（電源部）からの電力供給が復帰した場合、フラッシュメモリ７４（不揮発性メモリ）に記憶される設定情報で指定される通信方式で無線信号を送信するように機能する。このように、通信方式を指示する設定情報をフラッシュメモリ７４（不揮発性メモリ）に保持しておく構成とすることで、電源回路８１（電源部）からの電力供給が途絶えても設定情報を保持しておくことが可能となる。つまり、電力供給が途絶えた場合でも設定された通信方式が消去されないため、電力供給が途絶える度に所望の通信方式を設定し直すような手間を省くことができる。しかも、赤外線通信を行うか否かを指示する情報（換気扇連動機能（赤外線連動機能）を作動させるか否かを定める情報）を記憶するフラッシュメモリ７４に、上記「通信方式を指示する設定情報」を記憶する構成であるため、記憶装置の共用化を図ることができ、特別な専用装置を用いなくても所望の通信方式の指定が可能となるため、装置構成の簡素化、コスト低減を図ることができる。
【００５３】
＜他の実施例＞
本発明は上記記述及び図面によって説明した実施例に限定されるものではなく、例えば次のような例も本発明の技術的範囲に含まれる。
【００５４】
上述した実施例では、複数種類の通信方式の一例を示したが、設定情報が第１の情報で設定された場合に送信するときの通信方式と、第２の情報で設定された場合に送信するときの通信方式とが異なっていればよく、それぞれの通信方式の具体例は上述した例に限定されない。
【００５５】
上述した実施例では、２つの通信方式の中からいずれかの通信方式を指定し、指定された通信方式を特定する設定情報を記憶部に記憶しておく方法を例示したが、３以上の通信方式の中からいずれかの通信方式を指定し、指定された通信方式を特定する設定情報を記憶部に記憶しておく構成であってもよい。
【００５６】
上述した実施例では、記憶部の一例として不揮発性メモリであるフラッシュメモリ７４を例示したが、電源回路８１からの電力供給が途絶えた場合でも記憶内容が維持される記憶装置であれば公知の他の記憶装置でも好適に用いることができる。また、記憶部は、電源回路８１からの電力供給が継続している場合に記憶内容が保持される記憶装置であってもよい。
【００５７】
上述した実施例では、記憶部に記憶された設定情報に対応する赤外線通信方式で排出装置１００に対する信号を送信する例を示したが、無線通信の媒体は赤外線に限定されず、電波などのその他の媒体であってもよい。また、第１の通信方式が赤外線通信方式であり、第２の通信方式が電波通信方式であるといった内容（候補として複数種類の媒体による通信方式が想定され、いずれかの媒体による通信を選定し得る構成など）であってもよい。或いは、第１の通信方式が第１の規格による赤外線通信方式であり、第２の通信方式が第２の規格による赤外線通信方式であり、第３の通信方式が第３の規格による赤外線通信方式であるといった具合に、候補となる通信方式毎に異なる規格が定められていてもよい。
【符号の説明】
【００５８】
１…加熱調理器
４…右バーナ（加熱部）
５…左バーナ（加熱部）
６…奥バーナ（加熱部）
２２…コンロ用操作部（操作部）
７１…ＣＰＵ（更新部、無線通信部）
７４…フラッシュメモリ（記憶部、不揮発性メモリ、更新部）
９１…駆動回路（無線通信部）
９２…通信部（無線通信部）
１００…排出装置
【図１】
2018035991.tif 000003
【図２】
2018035991.tif 000004
【図３】
2018035991.tif 000005
【図４】
2018035991.tif 000006
【図５】
2018035991.tif 000007
【図６】
2018035991.tif 000008
【図７】
2018035991.tif 000009
【図８】
2018035991.tif 000010
【図９】
2018035991.tif 000011
【図１０】
2018035991.tif 000012